(57)【要約】【課題】記録装置本体を大きくすることなくユーザーインターフェイスを向上すること。【解決手段】主走査方向に走査するキャリッジを有する記録装置において、前記キャリッジと隣接して記録装置前面に配置され、高さ方向の大きさが前記キャリッジの高さ方向の大きさと同じであり、幅方向の大きさが前記キャリッジの主走査方向の移動距離と同じである、記録状況等を表示する表示装置を有することを特徴とする。【選択図】  図１
2004188889.tif 000002
【特許請求の範囲】
【請求項１】
主走査方向に走査するキャリッジを有する記録装置において、
前記キャリッジと隣接して記録装置前面に配置され、高さ方向の大きさが前記キャリッジの高さ方向の大きさと同じであり、幅方向の大きさが前記キャリッジの主走査方向の移動距離と同じである、記録状況等を表示する表示装置を有することを特徴とする記録装置。
【発明の詳細な説明】
【０００１】
【発明の属する技術分野】
本発明は、記録状態を表示する表示手段を有する記録装置に関する。
【０００２】
【従来の技術】
近年パーソナルプリンターは高画質化、高速化が進み、廉価なものが提案され、パーソナルコンピュータの出力装置として急速に普及している。また性能も向上し、一般的な普通紙から写真出力に優れた光沢紙など用途に適した紙種を選択でき、インクタンクについても各色分離タンク方式では消費したタンクだけを交換できるなどユーザーの利便性も向上している。これらの紙種の選択や、インクタンク交換時期の表示などはプリンターに接続されているコンピュータを通してユーザーとやりとりされるのが一般的である。
【０００３】
【発明が解決しようとする課題】
しかしながら、プリンターとユーザーとのインターフェイスをコンピュータを通じて行うという方法は、プリンターが離れた場所にあり、コンピュータとプリンターが複数台ある等の状況下ではコンピュータに表示される情報がどのプリンターに関するものであるか判別しにくいといった問題点があった。
【０００４】
そこで、プリンターにＬＥＤや小型液晶ディスプレイといった補助的な表示器を搭載することでプリンターからの情報をコンピュータを介さず直接ユーザーに伝える手段が一般に用いられる。しかしこの場合、ユーザーに伝達できる情報量が小さく、かつ情報表示に気づきにくいなどの問題が生ずる。かといって、情報量の大きな表示器をプリンターに搭載するとなると、プリンター本体が大きくなるなどといったデメリットが生じる。
【０００５】
そこで本発明は、記録装置本体を大きくすることなくユーザーインターフェイスを向上することを目的とする。
【０００６】
【課題を解決するための手段】
上記目的を達成するための、本発明の代表的な構成は、主走査方向に走査するキャリッジを有する記録装置において、前記キャリッジと隣接して記録装置前面に配置され、高さ方向の大きさが前記キャリッジの高さ方向の大きさと同じであり、幅方向の大きさが前記キャリッジの主走査方向の移動距離と同じである、記録状況等を表示する表示装置を有することを特徴とする。
【０００７】
【発明の実施の形態】
以下図面を参照して本発明の実施例を説明する。図１は本発明の記録装置の概略斜視図である。図１に示すように、記録装置は、記録ヘッド101、記録ヘッド101を搭載可能なキャリッジ102、表示装置104、表示パネル107を有する。また、主走査手段（図示せず）によるキャリッジ102の主走査方向を矢印103で、副走査方向を矢印106で表す。
【０００８】
記録前の記録媒体105ａは、搬送手段（図示せず）により副走査方向106に搬送される。ここで、記録ヘッド101は、キャリッジ102に搭載され主走査方向にキャリッジを駆動させる主走査手段（図示せず）によって主走査方向103に沿って往復移動することで記録媒体上に画像を形成する。記録後の記録媒体105ｂはその後出力される。表示装置104はキャリッジ102に設置され、主走査方向103にそって往復移動に伴い走査型画像を形成する。このときの画像の大きさは、幅が本記録装置が記録可能な中で最大の記録媒体の主走査方向サイズと同等であり、縦がキャリッジ102のサイズと同等程度で、おおむね記録装置の表示パネル107ほどの表示容量を確保できる。
【０００９】
ここで、表示装置104に発光素子を使用し、表示パネル107に前記発光素子の光を透過する部材を使用することで、表示パネル107に残像画像が形成される。発光素子以外でも、表示パネル107をキャリッジ102と表示装置104とでアドレスする画像表示方式であれば、同等のサイズの表示容量を確保できる。また、表示パネル107は記録媒体の排出される方向に向いているので、本記録装置を使用するユーザーにとって表示される画像が目に付きやすい。
【００１０】
図２は本発明の記録装置の制御系ブロック図を示す。プリンタ部201の中央演算処理部（ＣＰＵ）202はインターフェイス部203を介して、コンピュータ204に接続されデータの授受を行う。ＣＰＵ202には、制御プログラムやデータを一時記憶するバッファを含む記憶部205、クロックを発生するクロック発生回路206、主走査手段207の位置を検出するセンサ（位置検出手段）208が接続されている。尚、ＣＰＵ202は、入力される信号やデータに基づいて搬送手段駆動回路209、主走査手段駆動回路210および記録ヘッド駆動回路211を介して、搬送手段212、主走査手段207およびキャリッジ部213の記録ヘッド101などを制御する。
【００１１】
表示装置104は、ＣＰＵ216がインターフェイス部217を介して、コンピュータとデータの授受を行う。ＣＰＵ216には、表示装置の制御プログラムが含む記憶部218、クロックを発生するクロック発生回路219、プリンタ部201のセンサ208が接続されている。ここでＣＰＵ（表示装置制御手段）216は、入力信号等に基づいてキャリッジ部213上の表示装置104を制御する。
【００１２】
プリンタ部201はインターフェイス部203を介して授受したデータに基づき各駆動回路、記録ヘッドを制御し記録媒体に画像を形成し出力する。表示装置部も同様にインターフェイス部を介して授受したデータからＣＰＵ216で画像を生成、ＣＰＵ202を介して主走査手段駆動回路210を制御し、センサ208からの信号に基づき表示装置104を制御する。
【００１３】
ここで、センサ208の信号を用いることで、つまりプリンタ部201の動作状態によらず、主走査手段207の位置や速度を確認できるため、表示装置104はプリンタ部201の動作状態によらず常に安定した走査型画像表示を可能にできる。また図３に示すように、プリンタ部（図示せず）と表示装置部（図示せず）とで、インターフェイス部221、クロック発生回路222、記憶部223、ＣＰＵ224を共有し、キャリッジ部213への信号線225を時分割等で共有することも可能である。
【００１４】
以上のように、本実施形態においては、キャリッジ102の主走査方向の最大の移動範囲で、キャリッジ102の上下方向の大きさと同等のサイズの表示パネル107を、記録装置前面に配置したことにより、記録装置のサイズを大きくすることなく、表示容量の大きい表示が実現できる。このため、ユーザーへ直接伝えられる情報量が増加し、プリンタのユーザーインターフェイスが向上する。
【００１５】
（他の実施形態）
前述した実施形態においては、記録装置前面に配置されるものを表示パネル107のみとしたが、これに限るものではなく、図３に示すように、前記表示パネル107上に表示される画像に重なるようにタッチパネル108を配置することで、プリンターとユーザーとのインターフェイスをさらに向上すること可能である。
【００１６】
［実施態様］
その他、本発明の実施態様の例を以下に列挙する。
【００１７】
［実施態様１］
主走査方向に走査するキャリッジを有する記録装置において、
前記キャリッジと隣接して記録装置前面に配置され、高さ方向の大きさが前記キャリッジの高さ方向の大きさと同じであり、幅方向の大きさが前記キャリッジの主走査方向の移動距離と同じである、記録状況等を表示する表示装置を有することを特徴とする記録装置。
【００１８】
［実施態様２］
主走査方向にキャリッジを駆動させる主走査手段と、
前記キャリッジの位置を検出する位置検出手段と、
前記表示装置の動作を制御する表示装置制御手段とを有し、
前記表示装置制御手段は、前記位置検出手段からの出力を参照し、前記主走査手段により走査型表示を実現することを特徴とする実施態様１記載の記録装置。
【００１９】
［実施態様３］
前記表示装置は発光素子を有することを特徴とする実施態様２記載の記録装置。
【００２０】
［実施態様４］
前記走査型表示により表示される画像に重なるようにタッチパネルを配置することを特徴とする請求項２又は３記載の記録装置。
【００２１】
【発明の効果】
以上のように、本発明においては、キャリッジの主走査方向の最大の移動範囲で、キャリッジの上下方向の大きさと同等のサイズの表示パネルを、記録装置前面に配置したことにより、記録装置のサイズを大きくすることなく、表示容量の大きい表示が実現できる。このため、ユーザーへ直接伝えられる情報量が増加し、プリンタのユーザーインターフェイスが向上する。
【図面の簡単な説明】
【図１】本発明の実施形態に係る記録装置の概略斜視図である。
【図２】本発明の実施形態に係る記録装置の制御系ブロック図である。
【図３】本発明の実施形態に係る記録装置の制御系ブロック図である。
【図４】本発明の他の実施形態に係る記録装置の概略斜視図である。
【符号の説明】
101 …記録ヘッド、102 …キャリッジ、104 …表示装置、
105 …記録媒体、107 …表示パネル、108 …タッチパネル、
202 …ＣＰＵ、203 …インターフェイス部、204 …コンピュータ、
205 …記憶部、206 …クロック発生回路、207 …主走査手段、208 …センサ、
209 …搬送手段駆動回路、210 …主走査手段駆動回路、
211 …記録ヘッド駆動回路、212 …搬送手段、213 …キャリッジ部、
216 …ＣＰＵ、217 …インターフェイス部、218 …記憶部、
219 …クロック発生回路、221 …インターフェイス部、
222 …クロック発生回路、223 …記憶部、224 …ＣＰＵ
【図１】
2004188889.tif 000003
【図２】
2004188889.tif 000004
【図３】
2004188889.tif 000005
【図４】
2004188889.tif 000006